(57)【要約】【課題】娩出用吸引カップにおいて、母体内への挿入を容易にし、十分な牽引力を得ることができ、かつ滑脱を低減させ、また、人工産瘤の発生を抑える。【解決手段】吸引分娩に用いる吸引カップ２であって、吸引カップ２は、例えばビニール素材のシートなどの折りたたみ可能な可撓性材料によりカップ状に形成され、底側に吸出孔１３が形成され、開口側に吸着孔１４が形成されたカップ部１１と、カップ部１１内に設けられ、例えばスポンジなどにより形成された有孔弾性部材１２とを備えている。吸着孔１４の周縁には吸着リング部１６が形成され、吸着リング部１６は、カップ部１１の周壁１５の弾性力よりも大きい弾性力を有する。また、カップ部１１の周壁１５内面には凹凸部１７が形成され、凹凸部１７はカップ部１１と有孔弾性部材１２との間の滑り止めとして機能する。【選択図】図２
2010125037.tif 000002
【特許請求の範囲】
【請求項１】
胎児を娩出する際に胎児頭部を吸引する娩出用吸引カップであって、
折りたたみ可能な可撓性材料によりカップ状に形成され、底側には陰圧を付与するための吸出孔が形成され、開口側には胎児頭部を吸着するための吸着孔が形成されたカップ部と、
前記カップ部内に設けられた有孔弾性部材と
を備えていることを特徴とする娩出用吸引カップ。
【請求項２】
前記カップ部の周壁はビニール素材のシートにより形成されていることを特徴とする請求項１に記載の娩出用吸引カップ。
【請求項３】
前記カップ部における前記吸着孔の周縁には吸着リング部が形成され、前記吸着リング部は、前記カップ部の周壁の弾性力よりも大きい弾性力を有することを特徴とする請求項１または２に記載の娩出用吸引カップ。
【請求項４】
前記吸着リング部はゲル状ゴムパッキンにより形成されていることを特徴とする請求項３に記載の娩出用吸引カップ。
【請求項５】
前記カップ部の周壁内面には凹凸部が形成されていることを特徴とする請求項１ないし４のいずれかに記載の娩出用吸引カップ。
【請求項６】
前記有孔弾性部材はスポンジにより形成されていることを特徴とする請求項１ないし４のいずれかに記載の娩出用吸引カップ。
【請求項７】
前記有孔弾性部材は円形板状に形成されていることを特徴とする請求項１ないし４のいずれかに記載の娩出用吸引カップ。
【発明の詳細な説明】
【技術分野】
【０００１】
本発明は、吸引分娩により母体から胎児を娩出する際に胎児頭部を吸引するのに用いて好適な娩出用吸引カップに関する。
【背景技術】
【０００２】
一般に、吸引分娩により母胎から胎児を娩出する際に用いられる吸引器は、母体内に挿入し、母体内の胎児頭部を吸着するための吸引カップと、吸引カップに連結され、母体内から吸引カップを胎児頭部と共に引き出すための牽引ハンドルと、牽引ハンドルに接続され、牽引ハンドルの内部に形成された連通路を介して吸引カップ内に陰圧を付与するための吸引チューブと、陰圧を発生させる陰圧ポンプと、陰圧の大きさを制限するための減圧弁とを備えている。
【０００３】
吸引カップには、金属カップ、またはシリコン製のソフトカップが従来から一般的に用いられている。最近では、吸引カップとして、プラスティック製、ポリエチレン製などのカップが用いられる場合もある。
【０００４】
また、このような一般的な吸引器に改良を加えた製品も開発されている（特許文献１参照）。
【特許文献１】特表２００８−５０６４９０号公報
【発明の開示】
【発明が解決しようとする課題】
【０００５】
ところで、吸引カップに加える陰圧は、胎児頭部への影響を考慮して、最大でも８０ｋＰａ（６０ｃｍＨｇ、０．８２ｋｇ／ｃｍ２）とされている。このため、陰圧をこの最大値以下に抑えながら、吸引器による牽引力を増やすためには、吸引カップの吸引面積を大きくする必要がある。しかし、吸引カップの吸引面積を大きくすると、吸引カップのサイズが大きくなる。このため、金属カップの場合には、金属カップを母体内に挿入することが難しくなり、また、母体に膣壁損傷等を与える危険性が増すという問題がある。
【０００６】
また、シリコン製のソフトカップの場合には、母体に挿入する際にソフトカップをある程度変形させることができるので、金属カップに比べて母体内への挿入は容易である。しかし、牽引時にソフトカップの縁部が変形し、ソフトカップの縁部と胎児頭部との密着状態を維持することができず、ソフトカップが胎児頭部から滑脱してしまう場合があるという問題がある。
【０００７】
一方、形状保持性（剛性）素材を用いた従来の吸引カップでは、陰圧により胎児頭部がカップ側に膨隆・変形し、陰圧に伴う胎児頭部の変形（人工産瘤）が発生するおそれがあるという問題がある。
【０００８】
本発明は例えば上述したような問題に鑑みなされたものであり、本発明の第１の課題は、母体内への挿入が容易であり、十分な牽引力を得ることができ、かつ滑脱を低減することができる娩出用吸引カップを提供することにある。
【０００９】
本発明の第２の課題は、人工産瘤の発生を抑えることができる娩出用吸引カップを提供することにある。
【課題を解決するための手段】
【００１０】
上記課題を解決するために、本発明の第１の娩出用吸引カップは、胎児を娩出する際に胎児頭部を吸引する娩出用吸引カップであって、折りたたみ可能な可撓性材料によりカップ状に形成され、底側には陰圧を付与するための吸出孔が形成され、開口側には胎児頭部を吸着するための吸着孔が形成されたカップ部と、前記カップ部内に設けられた有孔弾性部材とを備えていることを特徴とする。
【００１１】
本発明の第１の娩出用吸引カップでは、カップ部を折りたたんで母体内に容易に挿入することができ、膣壁損傷等の発生を抑えることができる。また、カップ部を折りたたんで母体内に挿入することができるので、カップ部のサイズまたは吸引面積を大きくすることができる。さらに、陰圧付与時には、カップ部内に設けられた有孔弾性部材が胎児頭部に密着する。これにより、胎児頭部に直接的に陰圧がかかる面積を大きくすることができる。したがって、吸引カップに付与する陰圧を従来の吸引カップの場合より下げても、十分な吸着力および牽引力を得ることができ、それゆえ吸引カップの滑脱を低減することができ、さらに、人工産瘤の発生を抑制することができる。また、柔軟なカップ部および柔軟な有孔弾性部材が胎児頭部に密着することによっても、人工産瘤の発生を抑制することができる。
【００１２】
上記課題を解決するために、本発明の第２の娩出用吸引カップは、上述した本発明の第１の娩出用吸引カップにおいて、前記カップ部の周壁はビニール素材のシートにより形成されていることを特徴とする。
【００１３】
本発明の第２の娩出用吸引カップでは、カップ部の周壁をビニール素材のシートにより形成することにより、折りたたみ可能な可撓性を有する柔らかいカップ部を形成することができ、吸引カップ挿入時の膣壁損傷等の抑制効果を高めることができると共に、陰圧付与時における胎児頭部への吸着性を高めることができる。
【００１４】
上記課題を解決するために、本発明の第３の娩出用吸引カップは、上述した本発明の第１または第２の娩出用吸引カップにおいて、前記カップ部における前記吸着孔の周縁には吸着リング部が形成され、前記吸着リング部は、前記カップ部の周壁の弾性力よりも大きい弾性力を有することを特徴とする。
【００１５】
本発明の第３の娩出用吸引カップにおける吸着リング部の弾性力は、カップ部を、折りたたまれた状態から元のカップ状に復元するための復元力となる。吸着リング部の弾性力がカップ部の周壁の弾性力よりも大きいので、折りたたまれて母体内に挿入されたカップ部は、母体内で確実にカップ状に復元する。さらに、吸着リング部は、陰圧付与時に胎児頭部に確実に密着し、空気漏れを防ぐ。特に、吸着リングの弾性力が大きく、カップ部の周壁が柔らかく、かつ有孔弾性部材により胎児頭部に直接的に陰圧がかかる面積が大きいため、陰圧付与時には、カップ部周縁の吸着リング部だけでなく、カップ部の周壁、有孔弾性部材および吸着リング部の全部が吸引カップの胎児頭部への吸着性の形成に直接的に寄与する。このため、牽引時の力がカップ部周縁のみに集中的に伝わることがなく、牽引時の力がカップ部周縁に集中するためにカップ部周縁が捲れ上がってしまうのを防止することができる。
【００１６】
上記課題を解決するために、本発明の第４の娩出用吸引カップは、上述した第３の娩出用吸引カップにおいて、前記吸着リング部はゲル状ゴムパッキンにより形成されていることを特徴とする。
【００１７】
本発明の第４の娩出用吸引カップによれば、カップ部を折りたたまれた状態から元のカップ状に復元するための十分な復元力を得ることができると共に、陰圧付与時におけるカップ部の胎児頭部への十分な密着性を得ることができる。
【００１８】
上記課題を解決するために、本発明の第５の娩出用吸引カップは、上述した第１ないし第４のいずれかの娩出用吸引カップにおいて、前記カップ部の周壁内面には凹凸部が形成されていることを特徴とする。
【００１９】
本発明の第５の娩出用吸引カップでは、カップ部の吸着孔に胎児頭部を当接させた状態で陰圧を付与することにより、吸着孔の周縁が胎児頭部に密着し、カップ部が陰圧によりつぶれ、カップ部の周壁内面に形成された凹凸部が有孔弾性部材に密着する。凹凸部が有孔弾性部材に密着することにより、凹凸部がカップ部と有孔弾性部材との間の滑り止めとして機能する。これにより、カップ部と有孔弾性部材とを一体化させ、吸引カップの吸着力を安定化させることができる。
【００２０】
上記課題を解決するために、本発明の第６の娩出用吸引カップは、上述した第１ないし第４のいずれかの娩出用吸引カップにおいて、前記有孔弾性部材はスポンジにより形成されていることを特徴とする。
【００２１】
本発明の第６の娩出用吸引カップでは、陰圧付与時において、スポンジにより形成された有孔弾性部材が胎児頭部の形状に合わせて容易に変形し、これにより優れた密着性および吸着性が発揮される。また、陰圧付与時に胎児頭部に直接接触し、密着する部分がスポンジという柔軟な材料であるため、人工産瘤の抑制に大きく貢献する。
上記課題を解決するために、本発明の第７の娩出用吸引カップは、上述した第１ないし第４のいずれかの娩出用吸引カップにおいて、前記有孔弾性部材は円形板状に形成されていることを特徴とする。
【００２２】
本発明の第７の娩出用吸引カップでは、有孔弾性部材を、カップ部の内側形状に合わせて円形に形成すると共に、陰圧付与時に胎児頭部の形状に合わせて変形しやすいような板状に形成する。これにより、吸引カップの吸着性能を高めることができる。
【発明の効果】
【００２３】
上述した本発明によれば、吸引カップの母体内への挿入が容易であり、吸引カップによる十分な牽引力を得ることができ、かつ吸引カップの滑脱を低減することができる。また、人工産瘤の発生を抑えることができる。
【発明を実施するための最良の形態】
【００２４】
以下、図面を参照しつつ、本発明の実施の形態について説明する。
【００２５】
図１は本発明の娩出用吸引カップの実施形態を含む吸引器を示している。図１中の吸引器１は、吸引分娩により母胎から胎児を娩出するための器具である。吸引器１は、母体から胎児を娩出する際に母体内に挿入して母体内の胎児頭部を吸引するための吸引カップ２、母体内から吸引カップ２を胎児頭部と共に引き出すための牽引ハンドル３、吸引カップ２に陰圧を付与するための吸引チューブ４、陰圧を発生させる陰圧ポンプ５、および陰圧の大きさを制限するための減圧弁６を備えている。図１中の吸引カップ２が本発明の娩出用吸引カップの実施形態である。
【００２６】
吸引カップ２には牽引ハンドル３の一端側が連結され、牽引ハンドル３の他端側には吸引チューブ４の一端側が接続されている。吸引チューブ４の他端側は減圧弁６を介して陰圧ポンプ５に接続されている。牽引ハンドル３の内部には軸方向に貫通する連通路３Ａが形成され、陰圧ポンプ５により作り出された陰圧は、減圧弁６、吸引チューブ４、牽引ハンドル３の連通路３Ａを介して吸引カップ２に付与される。
【００２７】
図２は吸引カップ２を牽引ハンドル３から外し、さらに吸引カップ２のカップ部１１と有孔弾性部材１２とを分離した状態を示している。図３はカップ部１１の図２中矢示III−III方向から見た断面を示している。
【００２８】
図２に示すように、吸引カップ２はカップ部１１および有孔弾性部材１２を備えている。カップ部１１はカップ状に形成され、底側には吸出孔１３が形成され、開口側には吸着孔１４が形成されている。吸出孔１３は吸引カップ２と牽引ハンドル３とを連結する際に、牽引ハンドル３の端部を挿入するための比較的小径の孔であり、陰圧付与時には、吸出孔１３を通じて吸引パッド２内に陰圧が付与される。吸着孔１４は、その内部に胎児頭部を嵌め込み、胎児頭部を吸着するための比較的大径の孔である。
【００２９】
吸着孔１４の周縁部を除くカップ部１１の周壁１５は、折りたたみ可能な可撓性材料、具体的にはビニール素材のシートにより形成されている。一方、吸着孔１４の周縁には吸着リング部１６が形成され、吸着リング部１６は、カップ部１１の周壁１５の弾性力よりも大きい弾性力を有する折りたたみ可能な可撓性材料、具体的には、ゲル状ゴムパッキンにより形成されている。また、図３に示すように、吸着リング部１６の厚さ寸法は、カップ部１１の周壁１５の厚さ寸法よりも大きい。
【００３０】
さらに、図３に示すように、カップ部１１の周壁１５の内面１５Ａには、カップ部１１の全周にわたって多数の凹凸を有する凹凸部１７が形成されている。
【００３１】
また、図２に示すように、有孔弾性部材１２はスポンジにより、円形板状に形成されている。有孔弾性部材１２は、図１に示すように、カップ部１１の内部に装着される。
【００３２】
図４ないし図６は、吸引分娩時における吸引カップ２の使用態様を示している。まず、吸引カップ２を母体の膣口を介して母体内に挿入するときには、図４に示すように、吸引カップ２を例えば４つ折りにする。カップ部１１は折りたたみ可能な可撓性材料で形成されているため、吸引カップ２は容易に４つ折りにすることができる。また、有孔弾性部材１２もカップ部１１内でカップ部１１と共に折り曲げられる。
【００３３】
母体内に挿入された吸引カップ２は、母体内において、図５に示すように元のカップ状に復元する。カップ部１１の周縁リング部１６は、カップ部１１の周壁１５の弾性力よりも大きな弾性力を有しているので、この周縁リング部１６の弾性力によりカップ部１１は、母体内において確実に元のカップ状に復元する。
【００３４】
続いて、母体内の胎児頭部Ｈの一部が吸着孔１４の内部に入り込むように、吸引カップ２を胎児頭部Ｈに当接させ、陰圧ポンプ５を駆動させる。これにより、吸引カップ２内に陰圧が付与される。吸引カップ２内に陰圧が付与されると、カップ部１１の周縁リング部１６が胎児頭部Ｈに密着する。そして、図６に示すように、吸引カップ２が陰圧によりつぶれ、有孔弾性部材１２が胎児頭部Ｈに密着する。この結果、吸引カップ２における周縁リング部１６、周壁１５および有孔弾性部材１２の全部が胎児頭部Ｈの吸着に直接的に寄与し、吸引カップ２の胎児頭部Ｈに対する吸着力は、胎児頭部Ｈを母体内から牽引するのに十分な力となる。
【００３５】
ここで、図７は、図６中の点線で囲った領域Ａの断面を拡大して示している。図７に示すように、吸引カップ２がつぶれて有孔弾性部材１２が胎児頭部Ｈに密着すると、カップ部１１の周壁１５の内面に形成された凹凸部１７の多数の凹凸が有孔弾性部材１２に食い込む。これにより、有孔弾性部材１２がカップ部１１に固定され、カップ部１１に対して動かなくなる。このようにしてカップ部１１と有孔弾性部材１２とが一体化することにより、吸引カップ２の胎児頭部Ｈに対する安定した吸着力を作り出すことができる。
【００３６】
このように吸引カップ２が胎児頭部Ｈに吸着した状態で牽引ハンドル３を引くことにより、吸引カップ２と共に胎児頭部Ｈを母体内から引き出すことができる。
【００３７】
以上説明した通り、吸引カップ２によれば、カップ部１１を例えば４つ折りにして母体内に挿入することができるので、吸引カップ２の挿入作業を容易に行うことができると共に、吸引カップ２の挿入時に膣壁損傷等が発生するのを抑制することができる。
【００３８】
また、カップ部１１は折りたたんで挿入することができるため、カップ部１１のサイズあるいは吸引面積を大きくすることができ、また、カップ部１１は柔らかいため、胎児頭部の形状に合わせて変形しやすい。したがって、カップ部１１の胎児頭部に対する密着性を高めることができ、牽引時の滑脱を低減させることができる。
【００３９】
また、カップ部１１内の有孔弾性部材１２は、陰圧付与時に胎児頭部に密着する。これにより、胎児頭部に直接的に陰圧がかかる面積が大きくなる。したがって、吸引カップ２に付与する陰圧を低くしても、胎児頭部を牽引するのに十分な吸着力を形成することができる。胎児頭部にかける陰圧を下げることができるので、胎児に人工産瘤が形成されるのを抑制することができる。
【００４０】
また、カップ部１１の材料はビニール素材であり、有孔弾性部材１２の材料はスポンジであり、いずれも柔軟な材料である。陰圧付与時には、このような柔軟な材料が胎児頭部に接触・密着するため、胎児頭部がカップ側に膨隆・変形することがない。したがって、胎児に人工産瘤が形成されるのを抑制することができる。
【００４１】
また、カップ部１１に形成された吸着リング部１６の弾性力により、折りたたんで母体内に挿入した後の吸引カップ２を元のカップ状に確実に復元させることができ、胎児頭部を吸着孔１４内にしっかりと嵌め込ませることができる。また、陰圧を付与したときには、吸着リング部１６によりカップ部１１を胎児頭部に確実に密着させることができる。さらに、吸着リング１６だけでなく、カップ部１１の周壁１５、有孔弾性部材１２および吸着リング部１６の全部が吸引カップ２の胎児頭部への吸着性の形成に直接的に寄与するため、牽引時の力がカップ部１１の周縁のみに集中的に伝わることがなく、牽引時の力の集中によってカップ部１１の周縁が捲れ上がってしまうのを防止することができる。
【００４２】
また、カップ部１１の周壁１５の内面に形成された凹凸部１７により、陰圧付与時において、有孔弾性部材１２とカップ部１１とを一体化させることができ、吸引カップ２の胎児頭部に対する吸着力を安定化させることができる。
【００４３】
なお、上述した実施形態では、吸着孔１４の周縁部を除くカップ部１１の周壁１５をビニール素材のシートにより形成する場合を例にあげたが、本発明はこれに限らない。例えば、ナイロン、ポリエチレン、ラミネートフィルムなどのような、折りたたみ可能な可撓性を有する他の材料でもよい。
【００４４】
また、上述した実施形態では、カップ部１１の周縁リング部１６をゲル状ゴムパッキンにより形成する場合を例にあげたが、本発明はこれに限らない。例えば、シリコン、可塑性エラストマー、金属などにより周縁リング部１６を形成してもよい。また、周縁リング部１６を周壁１５と同じ材料で形成してもよい。この場合には、周縁リング部１６の厚さを周壁１５の厚さよりも厚くすることにより、周壁リング部１６の弾性力を周壁１５の弾性力よりも大きくする。
【００４５】
また、カップ部１１の周壁１５の内面に形成した凹凸部１７の形状は、図３に示す形状に限らない。例えば、周壁１５の内面に環状または螺旋状の突条を形成してもよいし、周壁１５の内面に小径の円柱状の突起を多数配置してもよい。
【００４６】
また、有孔弾性部材１２の材料はスポンジに限らず、各種フィルター、ウレタンフォーム、グラスウールなどでもよい。また、有孔弾性部材１２の形状は円形板状に限らない。例えば、有孔弾性部材１２をカップ部１１よりも小さいサイズのカップ状または円錐状に形成してもよい。
【００４７】
また、本発明のカップ部の形状はカップ状であるが、このカップ状には、図１ないし図３に示すカップ部１１のような中空かつ底無しの略円錐状、図８に示すカップ部２１のような茶碗状、図９に示すカップ部２２のような皿状、図１０に示すカップ部２３のようなグラス状などが含まれる。
【００４８】
また、本発明は、請求の範囲および明細書全体から読み取るこのできる発明の要旨または思想に反しない範囲で適宜変更可能であり、そのような変更を伴う娩出用吸引カップもまた本発明の技術思想に含まれる。
【図面の簡単な説明】
【００４９】
【図１】本発明の娩出用吸引カップの実施形態を含む吸引器を示す説明図である。
【図２】吸引カップを牽引ハンドルから外し、さらに吸引カップのカップ部と有孔弾性部材とを分離した状態を示す斜視図である。
【図３】カップ部の図２中矢示III−III方向から見た断面図である。
【図４】吸引カップを４つ折りにした状態を示す斜視図である。
【図５】吸引カップを胎児頭部に当接させた状態を示す斜視図である。
【図６】吸引カップに陰圧を付与した状態を示す斜視図である。
【図７】図６中の点線Ａで囲った領域を拡大して示す断面図である。
【図８】カップ部のカップ状の他の形態を示す説明図である。
【図９】カップ部のカップ状のさらなる他の形態を示す説明図である。
【図１０】カップ部のカップ状のさらなる他の形態を示す説明図である。
【符号の説明】
【００５０】
１  吸引器
２  吸引カップ
１１  カップ部
１２  有孔弾性部材
１３  吸出口
１４  吸着口
１５  周壁
１６  周縁リング部
１７  凹凸部
【図１】
2010125037.tif 000003
【図２】
2010125037.tif 000004
【図３】
2010125037.tif 000005
【図４】
2010125037.tif 000006
【図５】
2010125037.tif 000007
【図６】
2010125037.tif 000008
【図７】
2010125037.tif 000009
【図８】
2010125037.tif 000010
【図９】
2010125037.tif 000011
【図１０】
2010125037.tif 000012